(57)【要約】【課題】二次電池の容量の測定について、測定時間を短縮しつつ、かつ二次電池の容量を精度よく測定する。【解決手段】放電電流が所定値より小さい第１領域において定電流放電を行なった場合、定電流放電の完了までに要する時間と基準時間との差が放電電流が大きくなるほど小さくなり、放電電流が所定値以上の第２領域において定電流放電を行なった場合、定電流放電の完了までに要する時間と基準時間との差が放電電流の大きさに依らず規定値より小さくなる特性を有する二次電池において、第２領域において定電流放電を行なう第１ステップと、第１ステップの後に定電圧放電を行なう第２ステップと、電池の容量を算出する第３ステップとを含む方法によって二次電池の容量を測定する。【選択図】図１０
2019046544.tif 000002
【特許請求の範囲】
【請求項１】
二次電池の容量を測定する方法であって、
前記二次電池の電圧が、前記容量の測定開始時の初期電圧値から前記初期電圧値よりも小さい第１電圧値に下がるまで第１放電電流値で定電流放電を行なう第１ステップと、
前記第１ステップの後に、前記二次電池の放電電流が、前記第１放電電流値から前記第１放電電流値よりも小さい第２放電電流値に下がるまで、前記第１電圧値で定電圧放電を行なう第２ステップと、
前記第１ステップにおける前記定電流放電による放電量と、前記第２ステップにおける前記定電圧放電による放電量とを用いて前記容量を測定する第３ステップとを含み、
前記二次電池は、前記第１放電電流値が所定値より小さい第１領域において前記定電流放電を行なった場合、前記定電流放電の完了までに要する時間と基準時間との差が前記第１放電電流値が大きくなるほど小さくなり、前記第１放電電流値が前記所定値以上の第２領域において前記定電流放電を行なった場合、前記定電流放電の完了までに要する時間と前記基準時間との差が前記第１放電電流値の大きさに依らず規定値より小さくなる特性を有し、
前記第１放電電流値は、前記第２領域に含まれる値に設定される、二次電池の容量を測定する方法。
【発明の詳細な説明】
【技術分野】
【０００１】
本開示は、二次電池の容量（以下「電池容量」ともいう）を測定する方法に関する。
【背景技術】
【０００２】
特開平１０−２８９７２９公報（特許文献１）には、二次電池の容量を測定する測定方法が開示されている。この測定方法では、二次電池の電圧が容量の測定開始時の初期電圧値から規定の電圧値に下がるまで、一定の放電電流で定電流放電（Ｃｏｎｓｔａｎｔ  Ｃｕｒｒｅｎｔ放電：以下「ＣＣ放電」ともいう）が行われる。そして、ＣＣ放電に要した時間と放電電流とから二次電池の容量が算出される。
【先行技術文献】
【特許文献】
【０００３】
【特許文献１】特開平１０−２８９７２９号公報
【特許文献２】特許第５６６８６６３号公報
【発明の概要】
【発明が解決しようとする課題】
【０００４】
特許文献１に開示された二次電池の容量を測定する測定方法は、たとえば、二次電池の容量を検査するための容量検査工程において使用されることが考えられる。容量検査工程においては、測定効率を向上させるために二次電池の容量の測定に要する測定時間を短縮させることが望まれている。
【０００５】
ここで、二次電池の容量の測定に要する測定時間を短縮させるために、ＣＣ放電における放電電流を大きくして放電時間を短くすることが考えられる。しかしながら、ＣＣ放電における放電電流を大きくすると、二次電池の発熱も大きくなり、この影響によって二次電池の容量が正確に測定できない可能性がある。
【０００６】
本開示は、上記課題を解決するためになされたものであり、その目的は、二次電池の容量の測定において、測定時間を短縮しつつ、かつ二次電池の容量を精度よく測定することである。
【課題を解決するための手段】
【０００７】
この開示にかかる測定方法は、二次電池の容量を測定する方法であって、二次電池の電圧が、容量の測定開始時の初期電圧値から初期電圧値よりも小さい第１電圧値に下がるまで第１放電電流値で定電流放電を行なう第１ステップと、第１ステップの後に、二次電池の放電電流が、第１放電電流値から第１放電電流値よりも小さい第２放電電流値に下がるまで、第１電圧値で定電圧放電を行なう第２ステップと、第１ステップにおける定電流放電による放電量と、第２ステップにおける定電圧放電による放電量とを用いて容量を測定する第３ステップとを含む。二次電池は、第１放電電流値が所定値より小さい第１領域において定電流放電を行なった場合、定電流放電の完了までに要する時間と基準時間との差が第１放電電流値が大きくなるほど小さくなり、第１放電電流値が所定値以上の第２領域において定電流放電を行なった場合、定電流放電の完了までに要する時間と基準時間との差が第１放電電流値の大きさに依らず規定値より小さくなる特性を有する。第１放電電流値は、第２領域に含まれる値に設定される。
【０００８】
上記方法によれば、所定値以上の第１放電電流値で、定電流放電が行なわれる。定電流放電を行なった後に第１電圧値で定電圧放電（Ｃｏｎｓｔａｎｔ  Ｖｏｌｔａｇｅ放電：以下「ＣＶ放電」ともいう）が行なわれる。そして、ＣＣ放電によって算出される容量とＣＶ放電によって算出される容量とが加算されて二次電池の容量が算出される。
【０００９】
上記のように、所定値以上の第１放電電流値でＣＣ放電が行われることによって、所定値よりも小さい第１放電電流値でＣＣ放電が行われる場合に比べて放電時間が短くなる。そのため、二次電池の容量の測定時間が短縮される。
【００１０】
さらに、ＣＣ放電が行なわれた後にＣＶ放電が行なわれることによって、二次電池の容量を精度よく測定することができる。所定値以上の第１放電電流値でＣＣ放電が行われることにより二次電池が発熱し、その影響によって測定される二次電池の容量が正確に測定なされない可能性がある。本発明者は、ＣＣ放電の後にＣＶを行なうことによって測定される二次電池の容量が、二次電池の発熱により正確に測定なされない可能性を抑制することができることを実験的に見い出した。
【００１１】
所定値以上の第１放電電流値でＣＣ放電を行ない、ＣＣ放電の後にＣＶ放電を行なうことによって、二次電池の容量の測定において、測定時間を短縮しつつ、かつ二次電池の容量を精度よく測定できる。
【発明の効果】
【００１２】
本開示によれば、二次電池の容量の測定において、測定時間を短縮しつつ、かつ二次電池の容量を精度よく測定できる。
【図面の簡単な説明】
【００１３】
【図１】実施の形態１における電池の容量の測定システムの全体構成を示す図である。
【図２】電池の検査工程における経過時間と電圧との関係を示す図である。
【図３】ＣＣ放電における放電電流と放電時間との関係を示す図である。
【図４】ＣＣ放電における放電電流と電池温度との関係を示す図である。
【図５】所定値Ｘの放電電流でのＣＣ放電における電池温度と電池の容量との関係を示す図である。
【図６】所定値Ｘの放電電流でのＣＣ放電における放電時間と電圧との関係を示す図である。
【図７】所定値Ｘの放電電流でのＣＣ放電における電池温度と電池容量との関係および所定値Ｘの放電電流でのＣＣＣＶ放電における電池温度と電池容量との関係を示す図である。
【図８】所定値Ｘの放電電流でのＣＣ放電における放電時間と電圧との関係および所定値Ｘの放電電流でのＣＣＣＶ放電における放電時間と電圧との関係を示す図である。
【図９】ＣＣ放電およびＣＣＣＶ放電の放電電流と放電時間との関係を示した図である。
【図１０】実施の形態１におけるＣＣＣＶ放電のフローチャートである。
【図１１】実施の形態１におけるＣＣＣＶ放電のタイミングチャートである。
【図１２】従来の電池の検査工程における抵抗検査工程を概略的に示す図である。
【図１３】実施の形態２の電池の検査工程における抵抗検査工程を概略的に示す図である。
【発明を実施するための形態】
【００１４】
以下、本実施の形態について、図面を参照しながら詳細に説明する。なお、図中同一または相当部分には同一符号を付してその説明は繰り返さない。
【００１５】
＜実施の形態１＞
実施の形態１における測定方法は、二次電池が製造された後の検査工程における二次電池の容量の測定などに用いられるものである。実施の形態１では、二次電池の一例としてリチウムイオン電池を用いる例を示す。
【００１６】
図１は、実施の形態１におけるリチウムイオン電池（以下、単に「電池」ともいう）２の容量の測定システム１０の全体構成を示す図である。測定システム１０は、検査装置１と、電池２と、充放電負荷３と、電流センサ４と、電圧センサ５とを備える。
【００１７】
検査装置１は、電池２の検査工程における各種の検査を行なう。検査装置１は、電流センサ４および電圧センサ５から出力された検出値を受けて、充放電負荷３を制御することによって電池２の充放電を制御する。充放電負荷３は、電池２の充放電を行なうための負荷であり、検査装置１によって制御される。電流センサ４は、電池２の放電電流を検出し、検査装置１に出力する。電圧センサ５は、電池２の放電電圧を検出し、検査装置１に出力する。
【００１８】
図２は、電池２の検査工程における経過時間と電圧との関係を示す図である。検査工程は、初期充電工程と、高温エージング工程と、自己放電工程と、容量検査工程と、抵抗検査工程とを含む。
【００１９】
初期充電工程では、電池２に初期充電が行なわれる。初期充電によって、電池のＳＯＣ（Ｓｔａｔｅ  Ｏｆ  Ｃｈａｒｇｅ）は、たとえば制御上限値に調整される。高温エージング工程では、電池２に高温エージングが行なわれる。たとえば、数十℃程度の保管温度で数時間〜数日程度保管を行なう。自己放電工程では、電池２の自己放電が行なわれ電圧低下が測定される。容量検査工程では、電池２の容量が測定される。測定された容量が規定の容量を満たしているかによって良否判定が行われる。抵抗検査工程では、放電抵抗が測定される。抵抗検査工程は、容量検査工程の後に所定のＳＯＣになるように電池２の電圧調整がなされ、放電抵抗が測定される。測定された放電抵抗が規定値以内にあるかによって良否判定が行われる。
【００２０】
実施の形態１に開示する電池２の容量（以下、電池２の容量を「電池容量」ともいう）を測定する測定方法は、容量検査工程において電池容量の測定に用いられる。一般に、容量検査工程においては、電池の容量を測定するために、ＣＣ放電による電池の容量を算出する方法が用いられることがある。ＣＣ放電においては、電池の電圧値が電池の容量の測定開始時の初期電圧から規定の電圧値に下がるまで一定の放電電流で放電が行なわれ、放電電流と放電に要した時間とから電池の容量が算出される。
【００２１】
本実施の形態１における容量検査工程においても、電池容量の測定にＣＣ放電が用いられることが想定される。ここで、容量検査工程においては、測定効率を向上させるために電池容量の測定に要する測定時間を短縮させることが望まれている。そこで、電池容量の測定に要する測定時間を短縮させるために、ＣＣ放電における放電電流を大きくして放電時間を短くすることが考えられる。しかしながら、ＣＣ放電を行なう放電電流を大きくすると、測定時間の短縮は可能であるが、電池容量を精度よく測定することができない可能性がある。以下、その理由について具体的に説明する。
【００２２】
図３は、ＣＣ放電における放電電流と放電時間との関係を示す図である。本発明者は、実験的に図３に示す関係を見い出した。図３においては、横軸に放電電流（電流レート）が示され、縦軸に放電時間が示されている。放電電流は、電流レートと電池２の定格容量とにより一意に決定される。電流レートとは、電池２の定格容量に対する放電電流の比である。定格容量が一定であれば、電流レートと放電電流とは等価の関係になるものである。
【００２３】
図３に示すように、本開示における電池２は、放電電流を大きくするに従がって放電時間は短くなるが、所定値Ｘ以上の放電電流においては、放電時間はある基準の時間程度となる特性を有することがわかった。つまり、本開示における電池２は、所定値Ｘ以上の放電電流においては、放電時間とある基準の時間との差が規定の値よりも小さくなる。以下においては、所定値Ｘ以上の放電電流において、放電時間とある基準の時間との差が規定の値よりも小さくなることを「収束」ともいう。また、以下においては、上述の放電時間が収束するある基準の時間を「基準時間」ともいう。換言すると、本開示における電池２は、放電電流を大きくするに従がって放電時間は短くなるが、所定値Ｘ以上の放電電流においては放電時間が基準時間に概ね収束する特性を有する。なお、規定の値は、電池２についての実験等の結果から定められる。
【００２４】
所定値Ｘ以上の放電電流においては、放電電流をそれ以上大きくしても放電時間はほぼ短縮できない。所定値Ｘ以上の放電電流でＣＣ放電を行なう領域を「収束領域」といい、所定値Ｘ未満の放電電流でＣＣ放電を行なう領域を「変化領域」という。図３に示された所定値Ｙは、実施の形態１において最も低く設定された放電電流である。所定値Ｙは、変化領域にあり、所定値Ｙの放電電流による放電時間も最も長くなっている。
【００２５】
上述した特性を有する電池２においては、所定値Ｘ以上の放電電流においてＣＣ放電を行なうことによって、放電時間を大幅に短縮させることが考えられる。
【００２６】
しかしながら、放電電流を大きくすることによって、電池２の発熱が大きくなる。電池２の発熱が大きくなることによって、電池２の温度（以下「電池温度」ともいう）のばらつきが顕著となり、算出される電池容量が正確に測定できず測定精度が低下する場合が生じ得る。以下、図４および図５を用いて上記課題について説明する。
【００２７】
図４は、ＣＣ放電における放電電流と電池温度との関係を示す図である。図４においては、横軸に放電電流（電流レート）が示され、縦軸に電池温度が示されている。図４に示されるとおり、放電電流が大きくなるに伴って、電池温度のばらつき幅が大きくなっている。
【００２８】
図５は、所定値Ｘの放電電流でのＣＣ放電における電池温度と電池容量との関係を示す図である。図５においては、横軸に電池温度が示され、縦軸に電池容量が示されている。電池温度が高くなるに伴って、電池容量も大きくなっている。ＣＣ放電によって算出される電池容量は、電池温度によって容量幅Ｄｃｃでばらつくことが示されている。
【００２９】
図４に示されたように放電電流を大きくすることによって電池温度のばらつき幅が大きくなると、電池温度がばらつくことに伴って図５に示されたように電池容量にも容量幅Ｄｃｃのばらつきを生ずる。容量幅Ｄｃｃのばらつきが生ずるため、電池容量が正確に測定できず測定精度が低下する。電池温度のばらつきが電池容量の測定精度を低下させることについて図６を用いて具体的に説明する。
【００３０】
図６は、所定値Ｘの放電電流でのＣＣ放電における放電時間と電圧との関係を示す図である。図６においては、横軸に時間が示され、縦軸に電池２の電圧が示されている。放電電流が大きいと、電池２の発熱も大きくなり、図４で示した電池温度のばらつきによって、電池２の内部抵抗に影響を与える。内部抵抗が影響を受ける結果、図６に示すように、電圧の傾きがばらつき、電圧が規定の電圧となるまでの放電時間に差が生じる。ゆえに、放電電流と放電時間とから算出される電池容量に容量幅Ｄｃｃが生じる。
【００３１】
以上のように、ＣＣ放電を行なう放電電流を大きくすると、測定時間を短縮させることはできるが、電池容量を精度よく測定することができない可能性がある。
【００３２】
上記の課題を解決するための方策の検討を重ねた結果、本発明者は、図７に示すように、所定値Ｘの放電電流でのＣＣ放電の後にＣＶ放電を行なう定電流定電圧放電（Ｃｏｎｓｔａｎｔ  Ｃｕｒｒｅｎｔ  Ｃｏｎｓｔａｎｔ  Ｖｏｌｔａｇｅ放電：以下「ＣＣＣＶ放電」ともいう）を行なうことにより、電池温度に起因する電池容量のばらつきを抑制することができることを見い出した。
【００３３】
図７は、所定値Ｘの放電電流でのＣＣ放電における電池温度と電池容量との関係および所定値Ｘの放電電流でのＣＣＣＶ放電における電池温度と電池容量との関係を示す図である。図７は、ＣＣ放電についてプロットされた図５に、さらにＣＣＣＶ放電についてのプロットが加えられたものである。図７には、ＣＣ放電によって算出される電池容量が電池温度によってばらつきを生じる容量幅Ｄｃｃと、ＣＣＣＶ放電によって算出される電池容量が電池温度によってばらつきを生じる容量幅Ｄｃｃｃｖが示されている。図７に示されたように、容量幅Ｄｃｃｃｖは容量幅Ｄｃｃよりも小さくなっている。つまり、ＣＣ放電は、電池温度に起因する電池容量のばらつきが大きい。一方、ＣＣＣＶ放電は、電池温度に起因する電池容量のばらつきは小さく、電池温度に依らず精度よく電池容量の測定がなされている。
【００３４】
本発明者は、ＣＣ放電を行なう放電電流を大きくすると、電池容量を精度よく測定することができない可能性が生じる課題を解決する方策として上記の見い出した関係に着目した。本発明者は、所定値Ｘの放電電流でＣＣ放電を行なった後にＣＶ放電を行なうことにより電池容量を測定することとした。
【００３５】
これによって、所定値Ｘの放電電流におけるＣＣ放電により、電池温度に起因する電池容量のばらつきが生じている状態であっても、ＣＣ放電を行なった後にＣＶ放電を行なうことで、電池温度に起因する電池容量のばらつきを小さく抑えることができる。つまり、所定値Ｘの放電電流におけるＣＣ放電により、放電時間を短くすることによって測定時間を短縮しつつ、ＣＣ放電を行なった後にＣＶ放電を行なうことで電池容量を精度よく測定することができる。
【００３６】
図８は、所定値Ｘの放電電流でのＣＣ放電における放電時間と電圧との関係および所定値Ｘの放電電流でのＣＣＣＶ放電における放電時間と電圧との関係を示す図である。図８においては、横軸に時間が示され、縦軸に電池２の電圧が示されている。ＣＣＣＶ放電は、ＣＣ放電を行なった後にＣＶ放電を行なうが、所定値Ｘの放電電流においては、ＣＣＣＶ放電の放電時間はＣＣ放電の放電時間と概ね同等である。
【００３７】
よって、所定値Ｘの放電電流でのＣＣＣＶ放電は、電池容量を精度よく測定しつつ、かつ放電時間を所定値Ｘの放電電流でのＣＣ放電における放電時間と同等程度に短縮させることが可能である。
【００３８】
なお、各放電電流におけるＣＣ放電とＣＣＣＶ放電との放電時間の関係が図９に示されている。図９は、ＣＣ放電およびＣＣＣＶ放電の放電電流と放電時間との関係を示した図である。図９は、ＣＣ放電についてプロットされた図３に、さらにＣＣＣＶ放電についてのプロットが加えられたものである。図９に示されるとおり、ＣＣＣＶ放電の放電時間は、いずれの放電電流においてもＣＣ放電の放電時間と概ね同等であることがわかる。
【００３９】
実施の形態１におけるＣＣＣＶ放電について、フローチャートを用いて説明する。図１０は、実施の形態１におけるＣＣＣＶ放電のフローチャートである。このフローチャートは、容量検査工程が行われる毎に繰り返し実行される。
【００４０】
検査装置１はまず、メモリから電流レートを読み出す。検査装置１は、読み出した電流レートと電池２の定格容量とから第１放電電流値Ｉｘ１を決定する（ステップ１０、以下ステップを「Ｓ」と略す）。
【００４１】
電池容量の測定を行なう電流レートはあらかじめ決められており、検査装置１の図示しないＣＰＵ（Ｃｅｎｔｒａｌ  Ｐｒｏｃｅｓｓｉｎｇ  Ｕｎｉｔ）に含まれるメモリに格納されている。
【００４２】
実施の形態１においては、第１放電電流値Ｉｘ１は所定値Ｘの放電電流に決定される。所定値Ｘの放電電流は、収束領域において最も小さい放電電流であるので、放電時間を短くして測定時間を短縮しつつ、電池２の発熱を抑制することができる。
【００４３】
検査装置１は、第１放電電流値Ｉｘ１でＣＣ放電を行なう（Ｓ２０）。検査装置１は、電池２の電圧が容量測定開始時の初期電圧値よりも小さい第１電圧値Ｖｘまで下がったか否かを判定する（Ｓ３０）。
【００４４】
Ｓ３０において、検査装置１は、電池２の電圧が第１電圧値Ｖｘまで電圧が下がっていないと判定すると（Ｓ３０においてＮＯ）、処理をＳ２０に戻し、引き続きＣＣ放電を行なう。一方、検査装置１は、Ｓ３０において電池２の電圧が第１電圧値Ｖｘまで下がったと判定すると（Ｓ３０においてＹＥＳ）、処理を進めＣＶ放電を行なう（Ｓ４０）。
【００４５】
検査装置１は、ＣＶ放電においては、第１電圧値Ｖｘを保持し、ＣＶ放電を終了する規定の電流値である第２放電電流値Ｉｘ２まで放電電流が下がったか否かを判定する（Ｓ５０）。第２放電電流値Ｉｘ２は第１放電電流値Ｉｘ１よりも小さい。
【００４６】
Ｓ５０において、検査装置１は、放電電流値が第２放電電流値Ｉｘ２まで下がっていないと判定すると（Ｓ５０においてＮＯ）、処理をＳ４０に戻し、引き続きＣＶ放電を行なう。一方、Ｓ５０において、検査装置１は、第２放電電流値Ｉｘ２まで放電電流値が下がったと判定すると（Ｓ５０においてＹＥＳ）、処理を進め電池容量の算出を行なう（Ｓ６０）。
【００４７】
ＣＣＣＶ放電で算出される容量（以下「ＣＣＣＶ放電容量」ともいう）は、ＣＣ放電で算出される容量（以下「ＣＣ放電容量」ともいう）およびＣＶ放電で算出される容量（以下「ＣＶ放電容量」ともいう）のそれぞれが算出され、加算されることで算出される。具体的には、ＣＣ放電容量は、第１放電電流値Ｉｘ１と、電池２の電圧が容量測定開始時の初期電圧値から第１電圧値Ｖｘまで下がるのに要した時間とから算出される。ＣＶ放電容量は、放電電流と放電電流がＣＶ放電開始時の第１放電電流値Ｉｘ１から第２放電電流値Ｉｘ２まで下がるのに要した時間とから算出される。これらを加算してＣＣＣＶ放電容量が算出される。
【００４８】
なお、ＣＣ放電は、本開示にかかる「第１ステップ」に相当し、ＣＶ放電は、本開示にかかる「第２ステップ」に相当し、電池容量の算出は、本開示にかかる「第３ステップ」に相当する。
【００４９】
図１１は、実施の形態１におけるＣＣＣＶ放電のタイミングチャートである。図１１においては、横軸に時間が示され、縦軸を電池２の電圧および電流が示されている。図１１中の実線で電流が示され、点線で電圧が示されている。電池容量の測定が開始されると、電池２の電圧が容量測定開始時の初期電圧値よりも小さい第１電圧値Ｖｘに下がるまで第１放電電流値Ｉｘ１でＣＣ放電が行われる。
【００５０】
電池２の電圧が第１電圧値Ｖｘまで下がると、第１電圧値Ｖｘを維持して、ＣＶ放電が行われる。
【００５１】
ＣＣ放電容量は、第１放電電流値Ｉｘ１とＣＣ放電に要した時間とから算出される。ＣＶ放電容量は、放電電流とＣＶ放電に要した時間とから算出される。ＣＣ放電容量とＣＶ放電容量とを加算してＣＣＣＶ放電容量が算出される。換言すると、ＣＣＣＶ放電容量は、図１１における実線で示された電流の曲線と時間軸とで囲まれる面積に相当する。
【００５２】
以上のように、実施の形態１においては、電池容量の測定において、所定値Ｘの放電電流でＣＣ放電を行なうことで放電時間を短くし電池容量の測定時間を短縮させることができる。そして、ＣＣ放電を行なった後に、ＣＶ放電を行なうことで、所定値Ｘの放電電流でＣＣ放電を行なうことによる電池容量のばらつきを抑制し、電池容量を精度よく測定することができる。
【００５３】
なお、実施の形態１においては、ＣＣＣＶ放電の放電電流を所定値Ｘで行なったが、収束領域にある放電電流（所定値Ｘ以上の放電電流）でＣＣＣＶ放電を行えばよく、所定値Ｘの放電電流に限られるものではない。収束領域にある放電電流であれば、放電時間を大幅に短くすることができることにより、電池容量の測定時間を短縮することができる。また、所定値Ｘ以上の放電電流でＣＣ放電を行なった後にＣＶ放電を行なうことにより、電池容量を精度よく測定することができる。
【００５４】
＜実施の形態２＞
実施の形態１においては、検査工程において、容量検査工程の後に抵抗検査工程を行なった。容量検査工程と抵抗検査工程とを別々に行っているため、検査工程全体の検査時間が長くなる。そこで、実施の形態２においては、容量検査工程において放電抵抗値を算出する。それによって、抵抗検査工程をなくすことができ、検査工程全体にかかる時間を短縮することができる。以下、詳細を説明する。なお、電池容量の測定に関しては実施の形態１と同様であるため、ここでは繰り返し説明を行なわない。
【００５５】
図１２は、従来の電池２の検査工程における抵抗検査工程を概略的に示す図である。抵抗検査工程においては、容量検査工程の後に所定のＳＯＣになるように電池２の電圧調整がなされ、放電抵抗値が測定される。測定された放電抵抗値が規定値以内にあるかによって良否判定が行われる。容量検査工程で電池２が放電された後に、電池２が充電され放電抵抗値の測定が行われるため、検査工程に時間を要する。
【００５６】
そこで、実施の形態２においては、容量検査工程において放電抵抗値の測定を行なう。図１３は、実施の形態２の電池２の検査工程における抵抗検査工程を概略的に示す図である。電池容量の測定の開始時における電圧変化から放電抵抗値が算出される。つまり、ＣＣ放電の開始時における電圧と所定の間隔後の電圧との電圧変化から放電抵抗値が算出される。ＣＣ放電においては、放電電流値は一定であるから、上記の電圧変化を用いることによって、オームの法則などから放電抵抗が算出される。
【００５７】
なお、電池容量の測定の開始時における電圧変化から放電抵抗値が算出されたが、電池容量測定の開始時における電圧変化に限られるものではなく、ＣＣ放電時において任意の区間での電圧変化を用いてもよい。ただし、放電電流が流れることによって電池温度が高くなる。電池２の温度変化による影響が少ない電池容量の測定の開始時における電圧変化から放電抵抗値が算出されることが望ましい。
【００５８】
以上のように、実施の形態２においては、容量検査工程において放電抵抗の測定を行なう。そのため、抵抗検査工程をなくすことができ、検査工程全体の検査時間を短縮することができる。
【００５９】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味および範囲内でのすべての変更が含まれることが意図される。
【符号の説明】
【００６０】
１  検査装置、２  二次電池、３  充放電負荷、４  電流センサ、５  電圧センサ、１０  測定システム。
【図１】
2019046544.tif 000003
【図２】
2019046544.tif 000004
【図３】
2019046544.tif 000005
【図４】
2019046544.tif 000006
【図５】
2019046544.tif 000007
【図６】
2019046544.tif 000008
【図７】
2019046544.tif 000009
【図８】
2019046544.tif 000010
【図９】
2019046544.tif 000011
【図１０】
2019046544.tif 000012
【図１１】
2019046544.tif 000013
【図１２】
2019046544.tif 000014
【図１３】
2019046544.tif 000015